(57)【要約】【課題】操作面に対する容易且つ直感的な接触操作により、物理的または仮想的に異なる複数の表示領域間で、表示オブジェクトを移動させることができるようにすること。【解決手段】複数のディスプレイが接続された情報処理装置において、前記複数のディスプレイによる表示を制御することが可能な制御装置であって、入力装置の操作面に対し、所定数の操作体による所定の接触操作が行われた場合、一のディスプレイにおいて選択された表示オブジェクトを、他のディスプレイに表示させる表示制御部を備える。【選択図】図４
2019101815.tif 000002
【特許請求の範囲】
【請求項１】
複数のディスプレイが接続された情報処理装置において、前記複数のディスプレイによる表示を制御することが可能な制御装置であって、
入力装置の操作面に対し、所定数の操作体による所定の接触操作が行われた場合、一のディスプレイにおいて選択された表示オブジェクトを、他のディスプレイに表示させる表示制御部
を備えることを特徴とする制御装置。
【請求項２】
前記接触操作における押圧力を検出する押圧力検出部をさらに備え、
前記表示制御部は、
前記押圧力検出部によって検出された前記押圧力が第１の所定の閾値よりも大きいことを含む、前記所定の接触操作が行われた場合、前記一のディスプレイにおいて選択された表示オブジェクトを、前記他のディスプレイに表示させる
ことを特徴とする請求項１に記載の制御装置。
【請求項３】
前記表示制御部は、
前記押圧力検出部によって検出された前記押圧力が第１の所定の閾値よりも大きくなったときに、前記一のディスプレイにおいて前記表示オブジェクトを選択し、その後、前記所定の接触操作が行われたときに、前記一のディスプレイにおいて選択された表示オブジェクトを、前記他のディスプレイに表示させる
ことを特徴とする請求項２に記載の制御装置。
【請求項４】
前記所定の接触操作は、前記操作面上で前記所定数の操作体を一回スライドさせるスライド操作である
ことを特徴とする請求項１から３のいずれか一項に記載の制御装置。
【請求項５】
前記表示制御部は、
前記所定の接触操作として前記スライド操作が行われた場合、前記スライド操作の方向に存在する前記他のディスプレイに、前記表示オブジェクトを表示させる
ことを特徴とする請求項４に記載の制御装置。
【請求項６】
前記所定の接触操作は、前記操作面を前記所定数の操作体によって所定時間以上押圧する押圧操作である
ことを特徴とする請求項１から３のいずれか一項に記載の制御装置。
【請求項７】
触覚提示手段をさらに備え、
前記表示制御部は、
前記入力装置の操作面に対し、前記所定の接触操作が行われた場合、前記一のディスプレイにおいて選択された表示オブジェクトを、前記他のディスプレイに表示させるとともに、前記触覚提示手段による触覚提示動作を制御する
ことを特徴とする請求項１から６のいずれか一項に記載の制御装置。
【請求項８】
前記表示制御部は、
前記所定の接触操作が行われた場合、前記一のディスプレイにおいて選択された表示オブジェクトに関連する他の表示オブジェクトを、前記他のディスプレイに表示させる
ことを特徴とする請求項１から７のいずれか一項に記載の制御装置。
【請求項９】
一のディスプレイに複数の仮想デスクトップを表示可能な情報処理装置において、前記複数の仮想デスクトップによる表示を制御することが可能な制御装置であって、
入力装置の操作面に対し、所定数の操作体による所定の接触操作が行われた場合、一の仮想デスクトップにおいて選択された表示オブジェクトを、他の仮想デスクトップに表示させる表示制御部
を備えることを特徴とする制御装置。
【請求項１０】
複数のディスプレイに接続された情報処理装置において、前記複数のディスプレイによる表示を制御することが可能な入力装置であって、
操作面を有し、当該操作面に対する操作体による接触操作を検出する操作部と、
前記操作面に対し、所定数の操作体による所定の接触操作が行われた場合、一のディスプレイにおいて選択された表示オブジェクトを、他のディスプレイに表示させる表示制御部と
を備えることを特徴とする入力装置。
【請求項１１】
一のディスプレイに複数の仮想デスクトップを表示可能な情報処理装置において、前記複数の仮想デスクトップによる表示を制御することが可能な入力装置であって、
操作面を有し、当該操作面に対する操作体による接触操作を検出する操作部と、
前記操作面に対し、所定数の操作体による所定の接触操作が行われた場合、一の仮想デスクトップにおいて選択された表示オブジェクトを、他の仮想デスクトップに表示させる表示制御部と
を備えることを特徴とする入力装置。
【請求項１２】
複数のディスプレイによる表示を制御することが可能な情報処理装置であって、
入力装置の操作面に対し、所定数の操作体による所定の接触操作が行われた場合、一のディスプレイにおいて選択された表示オブジェクトを、他のディスプレイに表示させる表示制御部
を備えることを特徴とする情報処理装置。
【請求項１３】
一のディスプレイに複数の仮想デスクトップを表示可能な情報処理装置であって、
入力装置の操作面に対し、所定数の操作体による所定の接触操作が行われた場合、一の仮想デスクトップにおいて選択された表示オブジェクトを、他の仮想デスクトップに表示させる表示制御部
を備えることを特徴とする情報処理装置。
【請求項１４】
複数のディスプレイに接続可能な情報処理装置に用いられるプログラムであって、
コンピュータを、
入力装置の操作面に対し、所定数の操作体による所定の接触操作が行われた場合、一のディスプレイにおいて選択された表示オブジェクトを、他のディスプレイに表示させる表示制御部
として機能させるためのプログラム。
【請求項１５】
一のディスプレイに複数の仮想デスクトップを表示可能な情報処理装置に用いられるプログラムであって、
コンピュータを、
入力装置の操作面に対し、所定数の操作体による所定の接触操作が行われた場合、一の仮想デスクトップにおいて選択された表示オブジェクトを、他の仮想デスクトップに表示させる表示制御部
として機能させるためのプログラム。
【発明の詳細な説明】
【技術分野】
【０００１】
本発明は、制御装置、入力装置、情報処理装置、およびプログラムに関する。
【背景技術】
【０００２】
従来、各種電子機器（例えば、スマートフォン、携帯電話機、タブレット端末、ノートパソコン、ゲーム機等）や、自動車等の車両等において、操作体（例えば、指先）による接触操作が可能な入力装置（例えば、タッチパネル、タッチパッド等）が用いられている。このような入力装置に関し、操作面に対する押圧操作に応じて、所定の機能を実行するようにした技術が考案されている。
【０００３】
例えば、下記特許文献１には、タッチパッドシステムにおいて、操作部材の操作面に対する押圧操作が行われた際に、その押圧操作が行われた領域が第１の領域であれば、第１の機能（マウス・ボタンの左ボタン機能）を実行し、その押圧操作が行われた領域が第２の領域であれば、第１の機能または第２の機能（マウス・ボタンの右ボタン機能）を実行するようにした技術が開示されている。
【先行技術文献】
【特許文献】
【０００４】
【特許文献１】特開２０１６−４５８１２号公報
【発明の概要】
【発明が解決しようとする課題】
【０００５】
ところで、近年、接触操作が可能な入力装置の使用環境が多様化しており、これに伴って、より多くの機能を接触操作によって実行できるように求められている。例えば、従来の情報処理装置（例えば、ノートパソコン等）では、複数のディスプレイにまたがって、一のデスクトップ画面を表示したり、一のディスプレイに複数の仮想デスクトップを表示したりすることが可能である。すなわち、従来の情報処理装置では、物理的または仮想的に異なる複数の表示領域を表示することが可能である。
【０００６】
しかしながら、従来の情報処理装置では、一方の表示領域に表示されている表示オブジェクト（例えば、表示画面、アイコン等）を、他方の表示領域に移動するためには、当該表示オブジェクトを選択した後に、入力装置による移動操作を行わなければならない。特に、入力装置としてタッチパッドを用いた場合には、移動操作できる領域の大きさが限られているため、一回の操作で移動できる量が小さく、例えば、一方の表示領域において、対象表示オブジェクトの上にカーソルを合わせて選択した後、その表示オブジェクトを他方の表示領域に表示させるためには、双方の表示領域間の距離に応じて、スライドさせる操作を何度か繰り返さねばならなかった。
【０００７】
このようなことから、容易且つ直感的な操作により、物理的または仮想的に異なる複数の表示領域間で、表示オブジェクトを移動させることができるようにすることが求められている。
【課題を解決するための手段】
【０００８】
一実施形態の制御装置は、複数のディスプレイが接続された情報処理装置において、前記複数のディスプレイによる表示を制御することが可能な制御装置であって、入力装置の操作面に対し、所定数の操作体による所定の接触操作が行われた場合、一のディスプレイにおいて選択された表示オブジェクトを、他のディスプレイに表示させる表示制御部を備える。
【発明の効果】
【０００９】
一実施形態によれば、操作面に対する容易且つ直感的な接触操作により、物理的または仮想的に異なる複数の表示領域間で、表示オブジェクトを移動させることができる。
【図面の簡単な説明】
【００１０】
【図１】第１実施形態に係る入力装置の外観斜視図である。
【図２】第１実施形態に係る入力装置の構成を示す分解斜視図である。
【図３】第１実施形態に係るノートパソコンの装置構成を示す図である。
【図４】第１実施形態に係る制御装置の機能構成を示すブロック図である。
【図５】第１実施形態に係る制御装置による処理の手順を示すフローチャートである。
【図６】第１実施形態に係る制御装置（表示制御部）による表示制御処理の手順を示すフローチャートである。
【図７】第１実施形態に係る操作パネルに対する接触操作の一例を示す図である。
【図８】第１実施形態に係る制御装置（表示制御部）による表示制御の一例を示す図である。
【図９】第２実施形態に係るノートパソコンの装置構成を示す図である。
【図１０】第２実施形態に係る制御装置の機能構成を示すブロック図である。
【図１１】第２実施形態に係る制御装置（表示制御部）による表示制御処理の手順を示すフローチャートである。
【図１２】第２実施形態に係る制御装置（表示制御部）による表示制御の一例を示す図である。
【発明を実施するための形態】
【００１１】
〔第１実施形態〕
以下、図面を参照して、第１実施形態について説明する。
【００１２】
（入力装置１００の構成）
図１は、第１実施形態に係る入力装置１００の外観斜視図である。図２は、第１実施形態に係る入力装置１００の構成を示す分解斜視図である。なお、以降の説明では、便宜上、図中Ｚ軸方向（入力装置１００の厚さ方向）を上下方向とし、図中Ｘ軸方向（入力装置１００の長手方向）を、横方向とし、図中Ｙ軸方向（入力装置１００の短手方向）を縦方向とする。
【００１３】
図１および図２に示す入力装置１００は、いわゆる「タッチパッド」と呼ばれる入力装置であり、各種情報処理装置（例えば、ノートパソコン、車載システム、スマートフォン、タブレット端末、携帯電話機、デジタルビデオカメラ、ゲーム機等）に設けられる入力装置である。入力装置１００は、操作パネル１１０を備えており、当該操作パネル１１０の操作面上において、ユーザの指先による接触操作（移動操作、押圧操作等）がなされることにより、当該接触操作の入力を受け付けることが可能である。
【００１４】
また、入力装置１００は、アクチュエータ１２０を備えており、当該アクチュエータ１２０によって、ユーザの接触操作に応じて、操作パネル１１０の操作面を振動させることにより、当該接触操作のフィードバックを、ユーザの指先または掌に対して触覚的に与えることが可能である。
【００１５】
図２に示すように、入力装置１００は、操作面側（図中Ｚ軸正側）から順に、カバーガラス１１１、粘着シート１１２、プリント基板１１３、および金属フレーム１４０を備えており、これらの構成部材が積層された、積層構造を有している。
【００１６】
カバーガラス１１１、粘着シート１１２、およびプリント基板１１３は、上述した操作パネル１１０を構成する。カバーガラス１１１、粘着シート１１２、およびプリント基板１１３は、いずれも、平面視において、概ね横長の長方形状を有している。操作パネル１１０は、「操作部」の一例である。本実施形態では、操作パネル１１０として、投影型静電容量方式のタッチパネルを用いているが、これに限らず、その他の方式（例えば、表面型静電容量方式、抵抗膜方式、赤外線走査方式、超音波表面弾性波方式等）のタッチパネルを用いてもよい。
【００１７】
カバーガラス１１１は、比較的硬質且つ透明性を有する素材からなる、薄い平板状の部材である。カバーガラス１１１は、主にプリント基板１１３の上側（図中Ｚ軸正側）の表面を保護するために、操作パネル１１０の最前面に設けられている。すなわち、カバーガラス１１１の上側（図中Ｚ軸正側）の表面は、操作パネル１１０の操作面となる。カバーガラス１１１としては、例えば、ガラス板、樹脂板等を用いることができる。
【００１８】
粘着シート１１２は、透明性且つ粘着性を有する素材からなる、薄いシート状の部材である。粘着シート１１２は、カバーガラス１１１とプリント基板１１３との間に配置され、カバーガラス１１１とプリント基板１１３とを互いに貼り合せる。
【００１９】
プリント基板１１３は、比較的硬質な素材からなる、薄板状の部材である。プリント基板１１３の上側（図中Ｚ軸正側）の表面には、静電センサ１１４が設けられている。静電センサ１１４は、操作パネル１１０の操作面における、ユーザの指先または掌の接触位置を検出し、当該接触位置を示す位置検出信号を出力する。具体的には、静電センサ１１４は、操作パネル１１０の操作面における、各座標の静電容量を検出し、当該各座標の静電容量を示す情報を、位置検出信号として出力する。静電センサ１１４は、プリント基板１１３の上側（図中Ｚ軸正側）の表面に、薄膜状の電極パターン（Ｘ軸方向の電極パターンおよびＹ軸方向の電極パターン）が設けられて構成されている。電極パターンとしては、例えば、ＩＴＯ（Indium Tin Oxide）、金属膜（例えば、銀、銅、アルミとモリブデンとの複合素材）等により形成されたものを用いることができる。プリント基板１１３の裏側（図中Ｚ軸負側）の表面には、アクチュエータ１２０および制御回路１２２が設けられている。
【００２０】
アクチュエータ１２０は、「触覚提示手段」の一例である。アクチュエータ１２０は、操作パネル１１０の操作面に振動（「触覚提示動作」の一例）を発生させることにより、ユーザに対して触覚を提示する。具体的には、アクチュエータ１２０は、制御回路１２２によって駆動されることによって自身が振動し、この振動を操作パネル１１０の操作面に伝えることにより、操作パネル１１０の操作面に振動を発生させる。アクチュエータ１２０としては、例えば、静電アクチュエータ、圧電アクチュエータ、電磁アクチュエータ等を用いることができる。なお、本実施形態の入力装置１００は、２つのアクチュエータ１２０が設けられているが、これに限らず、入力装置１００に対し、１つまたは３つ以上のアクチュエータ１２０を設けるようにしてもよい。
【００２１】
制御回路１２２は、外部装置（例えば、図３，図４に示す制御装置２００）との間で、各種操作信号（例えば、位置検出信号、圧力検出信号、振動制御信号等）の入出力を制御する。また、制御回路１２２は、アクチュエータ１２０の振動を制御する。例えば、制御回路１２２は、フォースセンサ１３０によって、操作パネル１１０の操作面に対する押圧力が検出されると、アクチュエータ１２０に駆動信号を出力することにより、アクチュエータ１２０に振動を発生させる。これにより、ユーザは、操作パネル１１０の押圧操作に対するフィードバックを、指先または掌によって感じ得ることができる。なお、制御回路１２２は、外部装置から入力された振動制御信号に基づいて、アクチュエータ１２０の振動を制御することも可能である。制御回路１２２としては、例えば、ＩＣ（Integrated Circuit）を用いることができる。
【００２２】
金属フレーム１４０は、操作パネル１１０の背面側（図中Ｚ軸負側）に設けられており、薄い金属板が加工されてなる、平板状の部材である。金属フレーム１４０は、平面視において、概ね横長の長方形状を有している。金属フレーム１４０は、その上側（図中Ｚ軸正側）の表面上に操作パネル１１０が積層された状態で、当該操作パネル１１０を固定的に支持する部材である。入力装置１００は、この金属フレーム１４０において、情報処理装置の筐体等に対して、ネジ等の固定手段によって固定される。
【００２３】
操作パネル１１０の最下層にあるプリント基板１１３と、金属フレーム１４０との間には、緩衝部材１２４およびフォースセンサ１３０が設けられている。
【００２４】
緩衝部材１２４は、プリント基板１１３と金属フレーム１４０との間において、プリント基板１１３および金属フレーム１４０の双方に貼り合されている。緩衝部材１２４は、操作パネル１１０から荷重が加えられることに応じて、上下方向に伸縮することにより、操作パネル１１０の上下方向への移動を可能とする部材である。例えば、操作パネル１１０が押圧されると、緩衝部材１２４が上下方向に縮むことにより、操作パネル１１０が下方へ沈み込む。そして、操作パネル１１０が押圧から解放されると、緩衝部材１２４がその反発力によって上下方向に伸長することにより、操作パネル１１０が上方へ移動し、当該操作パネル１１０が元の位置に復帰する。図２に示す例では、入力装置１００の左右両方の縁部のそれぞれにおいて、当該縁部に沿って２つの緩衝部材１２４が並べて設けられている。なお、図２に示す例では、緩衝部材１２４として、ゴム、樹脂、シリコン等の弾性素材からなる弾性シートを用いているが、これに限らず、緩衝部材１２４として、各種ばね等を用いることができる。また、緩衝部材１２４の素材、形状、配置位置、および配置数は、図２に示すものに限らない。
【００２５】
フォースセンサ１３０は、「圧力検出手段」の一例である。フォースセンサ１３０は、操作パネル１１０の操作面に対する押圧力を検出し、当該押圧力に応じた電圧値を示す圧力検出信号を出力する。フォースセンサ１３０から出力された圧力検出信号は、ＦＰＣ（Flexible Printed Circuits）１３５、および、プリント基板１１３に形成された配線を介して、制御回路１２２へ入力される。なお、本実施形態では、フォースセンサ１３０として、導電粒子をバインダに分散し、導電粒子間の距離の変化で抵抗が変化する、抵抗型歪みセンサを用いている。これに限らず、フォースセンサ１３０としては、例えば、圧電（ピエゾ）型センサ、ピエゾ抵抗型センサ等を用いることもできる。なお、操作パネル１１０の押圧力を検出するための「圧力検出手段」は、フォースセンサに限らず、例えば、「圧力検出手段」として、スイッチを用いるようにしてもよい。また、フォースセンサ１３０の配置位置および配置数は、本実施形態に示すものに限らず、例えば、フォースセンサ１３０（またはその他の「圧力検出手段」）を、操作パネル１１０の背面側の四角に配置するようにしてもよい。
【００２６】
（第１実施形態に係るノートパソコン１０の装置構成）
図３は、第１実施形態に係るノートパソコン１０の装置構成を示す図である。図３に示すノートパソコン１０は、「情報処理装置」の一例である。図３に示すように、ノートパソコン１０は、互いに折りたたみ可能な筐体１０Ａおよび筐体１０Ｂを備えている。また、ノートパソコン１０は、筐体１０Ａの内側表面に、ディスプレイ１２を備えている。また、ノートパソコン１０には、接続ケーブル１６によって、サブディスプレイ１４が接続されている。ディスプレイ１２およびサブディスプレイ１４には、例えば、液晶ディスプレイ、有機ＥＬ（Electro Luminescence）ディスプレイ等が用いられる。また、接続ケーブル１６には、例えば、ＤＶＩ（Digital Visual Interface）ケーブル、ＨＤＭＩ（High-Definition Multimedia Interface）（登録商標）ケーブル、ＤｉｓｐｌａｙＰｏｒｔケーブル、Ｄ−ｓｕｂ（D-subminiature）ケーブル等が用いられる。また、ノートパソコン１０は、筐体１０Ｂの内側表面に、図１および図２で説明した入力装置１００を備えている。また、ノートパソコン１０は、筐体１０Ｂの内部に、制御装置２００を備えている。制御装置２００は、入力装置１００の操作面に対し、所定数の操作体による所定の接触操作が行われた場合、一のディスプレイ（ディスプレイ１２またはサブディスプレイ１４）において選択された表示オブジェクトを、他のディスプレイ（サブディスプレイ１４またはディスプレイ１２）に表示させることが可能な装置である。
【００２７】
なお、本実施形態では、入力装置１００および制御装置２００をノートパソコン１０に適用する例を説明するが、これに限らず、入力装置１００および制御装置２００は、少なくとも２つのディスプレイに接続することが可能なものであれば、他の情報処理装置（例えば、スマートフォン、携帯電話機、タブレット端末、ゲーム機、車載システム、等）にも適用可能である。この場合、入力装置１００は、情報処理装置の筐体と一体的に設けられたものであってもよく、情報処理装置の筐体とは別体的に設けられたものであってもよい。また、制御装置２００は、入力装置１００の外部に設けられたものであってもよく、入力装置１００の内部に設けられたものであってもよい。また、制御装置２００は、専用の装置（例えば、ＩＣ等）によって実現されてもよく、情報処理装置が備えるコンピュータ（例えば、ＣＰＵ等）によって実現されてもよい。
【００２８】
なお、「複数のディスプレイが接続された情報処理装置」における「複数のディスプレイ」には、例えばノートパソコンに実装されているディスプレイのように、情報処理装置の筐体に物理的に一体的に設けられているディスプレイも含まれるし、例えばデスクトップパソコンに設けられているディスプレイや、サブディスプレイ等のように、情報処理装置の筐体に物理的に別体的に設けられているディスプレイも含まれる。
【００２９】
（制御装置２００の機能構成）
図４は、第１実施形態に係る制御装置２００の機能構成を示すブロック図である。図４に示すように、制御装置２００は、信号取得部２０１、位置検出部２０２、押圧力検出部２０４、移動特定部２０５、表示制御部２０６、および振動制御部２０７を備えている。
【００３０】
信号取得部２０１は、各種操作信号を取得する。例えば、信号取得部２０１は、入力装置１００（静電センサ１１４）から出力された、入力装置１００の接触操作における操作体の接触位置を示す位置検出信号を取得する。また、例えば、信号取得部２０１は、入力装置１００（フォースセンサ１３０）から出力された、操作パネル１１０の操作面に対する押圧力を示す圧力検出信号を取得する。
【００３１】
位置検出部２０２は、信号取得部２０１によって取得された位置検出信号に基づいて、操作パネル１１０に対する接触操作における操作体の接触位置を検出する。例えば、位置検出部２０２は、位置検出信号が示す各座標の静電容量に基づいて、静電容量が所定の閾値以上である複数の座標（すなわち、操作体が接触した複数の座標）を、操作体の接触位置として検出する。ここで、複数の操作体によって接触操作がなされた場合、位置検出部２０２は、複数の操作体の各々の接触位置を検出する。例えば、４本の指によって接触操作がなされた場合、位置検出部２０２は、４本の指の各々の接触位置を検出する。
【００３２】
押圧力検出部２０４は、信号取得部２０１によって取得された圧力検出信号に基づいて、操作パネル１１０に対する接触操作における押圧力を検出する。具体的には、押圧力検出部２０４は、所定の変換式に基づいて、圧力検出信号が示す電圧値を押圧力に変換することにより、当該押圧力を接触操作における押圧力として算出することができる。なお、押圧力検出部２０４は、圧力検出信号が示す電圧値を、そのまま接触操作における押圧力を示す値として用いてもよい。
【００３３】
移動特定部２０５は、位置検出部２０２によって検出された接触位置（時系列に検出された２以上の接触位置）に基づいて、接触操作における操作体の移動方向および移動量を特定する。例えば、移動特定部２０５は、移動操作における始点と終点との間の距離を、操作体の移動量として特定する。また、例えば、移動特定部２０５は、移動操作における始点から終点に至るベクトル方向を、操作体の移動方向として特定する。なお、位置検出部２０２によって複数の接触位置が検出された場合（すなわち、複数の操作体によって接触操作がなされた場合）、移動特定部２０５は、例えば、複数の接触位置に基づく所定の位置（例えば、複数の接触位置の重心位置）を、始点および終点として用いてもよい。
【００３４】
表示制御部２０６は、操作パネル１１０の操作面に対し、所定数の操作体による所定の接触操作が行われた場合、一のディスプレイ（ディスプレイ１２またはサブディスプレイ１４）において選択された表示オブジェクト（例えば、表示画面、アイコン、画像等）を、他のディスプレイ（サブディスプレイ１４またはディスプレイ１２）に表示させる。
【００３５】
表示制御部２０６は、押圧力検出部２０４によって検出された押圧力が所定の閾値ｔｈ１（第１の所定の閾値）よりも大きいことを含む、所定数の操作体による所定の接触操作が行われた場合、一のディスプレイにおいて選択された表示オブジェクトを、他のディスプレイに表示させることができる。
【００３６】
また、表示制御部２０６は、押圧力検出部２０４によって検出された押圧力が所定の閾値ｔｈ１よりも大きくなったときに、一のディスプレイにおいて表示オブジェクトを選択し、その後、所定数の操作体による所定の接触操作が行われたときに、一のディスプレイにおいて選択された表示オブジェクトを、他のディスプレイに表示させることができる。
【００３７】
なお、本実施形態では、「所定数の操作体による所定の接触操作」として、操作パネル１１０の操作面上で、４本の指を一回スライドさせるスライド操作（例えば、フリック操作、スワイプ操作等）を用いている。特に、本実施形態では、表示制御部２０６は、「所定数の操作体による所定の接触操作」として上記スライド操作が行われた場合、当該スライド操作の方向に存在する他のディスプレイに、表示オブジェクトを表示させるようにしている。例えば、図３に示すように、ディスプレイ１２の右側に、サブディスプレイ１４が設置されている場合において、ディスプレイ１２の表示オブジェクトが選択された場合、表示制御部２０６は、右方向への上記スライド操作が行われたとき、ディスプレイ１２において選択された表示オブジェクトを、サブディスプレイ１４に表示させる。反対に、サブディスプレイ１４の表示オブジェクトが選択された場合、表示制御部２０６は、左方向への上記スライド操作が行われたとき、サブディスプレイ１４において選択された表示オブジェクトを、ディスプレイ１２に表示させる。なお、ディスプレイ１２とサブディスプレイ１４との位置関係は、例えば、ユーザが、手作業でノートパソコン１０に対して予め設定しておいてもよく、各種センサ（例えば、赤外線センサ、超音波センサ等）等によって、ノートパソコン１０が、自動的に検知するようにしてもよい。
【００３８】
なお、「所定数の操作体による所定の接触操作」として、例えば、上記スライド操作の代わりに、操作パネル１１０の操作面を所定数の操作体（例えば、４本の指）によって所定時間以上押圧する押圧操作を用いてもよい。
【００３９】
また、表示制御部２０６は、操作パネル１１０の操作面に対し、所定数の操作体による所定の接触操作が行われた場合、一のディスプレイにおいて選択された表示オブジェクトを、他のディスプレイに表示させるとともに、振動制御部２０７に指示して、アクチュエータ１２０に振動制御信号を出力することにより、アクチュエータ１２０に振動を発生させるようにしてもよい。
【００４０】
振動制御部２０７は、振動を発生するための振動制御信号を、入力装置１００（アクチュエータ１２０）へ出力する。アクチュエータ１２０は、振動制御部２０７から出力された振動制御信号に基づいて、操作パネル１１０の操作面に振動を発生させる。例えば、振動制御部２０７は、表示制御部２０６からの指示に応じて、アクチュエータ１２０に振動制御信号を出力することにより、アクチュエータ１２０に振動を発生させる。なお、表示制御部２０６は、振動制御信号により、アクチュエータ１２０に発生させる振動の特性（周波数および振幅）を、操作パネル１１０に対する接触操作に応じた特性とすることができる。例えば、表示制御部２０６は、４本の指による上記スライド操作が行われた場合、それ以外の接触操作が行われた場合と異なる特性の振動を、アクチュエータ１２０に発生させるようにしてもよい。
【００４１】
上記した制御装置２００の各機能は、例えば、制御装置２００において、メモリ（例えば、ＲＯＭ（Read Only Memory）、ＲＡＭ（Random Access Memory）等）に記憶されているプログラムを、ＣＰＵ（Central Processing Unit）（コンピュータ）が実行することによって実現される。但し、上記した制御装置２００の各機能の一部または全部は、入力装置１００の制御回路１２２によって実現されてもよい。
【００４２】
このプログラムは、例えば、ノートパソコン１０に導入された状態で、ノートパソコン１０とともに提供されてもよく、ノートパソコン１０とは別に外部から提供されて、ノートパソコン１０に導入されるようにしてもよい。後者の場合、これらのプログラムは、外部記憶媒体（例えば、ＵＳＢメモリ、メモリカード、ＣＤ−ＲＯＭ等）によってノートパソコン１０に提供されてもよく、ネットワーク（例えば、インターネット等）上のサーバからダウンロードすることによって、ノートパソコン１０に提供されるようにしてもよい。
【００４３】
（制御装置２００による処理の手順）
図５は、第１実施形態に係る制御装置２００による処理の手順を示すフローチャートである。図５に示す処理は、例えば、入力装置１００において操作面に対する接触操作がなされ、これに伴って、入力装置１００から出力された位置検出信号が、制御装置２００に入力されると、制御装置２００によって実行される。
【００４４】
まず、信号取得部２０１が、制御装置２００に入力される各種操作信号（位置検出信号、圧力検出信号）を取得する（ステップＳ５０１）。次に、位置検出部２０２が、ステップＳ５０１で取得された位置検出信号に基づいて、操作パネル１１０に対する接触操作における複数の操作体の接触位置を検出する（ステップＳ５０２）。ここで、操作パネル１１０に対する操作が継続されている間は、入力装置１００から各種操作信号（位置検出信号および圧力検出信号）が繰り返し出力されるため、信号取得部２０１は、その都度、各種操作信号を取得する。また、位置検出部２０２は、その都度、操作体の接触位置を検出する。
【００４５】
次に、押圧力検出部２０４が、ステップＳ５０１で取得された圧力検出信号に基づいて、操作パネル１１０に対する接触操作における複数の操作体による押圧力を検出する（ステップＳ５０３）。また、移動特定部２０５が、ステップＳ５０２で検出された接触位置（時系列に２回以上検出された接触位置）に基づいて、接触操作における複数の操作体の移動方向および移動量を特定する（ステップＳ５０４）。
【００４６】
その後、表示制御部２０６が、ステップＳ５０２で検出された複数の操作体の接触位置と、ステップＳ５０３で検出された押圧力と、ステップＳ５０４で特定された移動方向および移動量とに基づいて、所定の表示制御処理を行う（ステップＳ５０５）。なお、表示制御部２０６による表示制御処理の詳細については、図６を用いて後述する。その後、制御装置２００は、図５に示す一連の処理を終了する。
【００４７】
（表示制御部２０６による表示制御処理の手順）
図６は、第１実施形態に係る制御装置２００（表示制御部２０６）による表示制御処理の手順を示すフローチャートである。
【００４８】
まず、表示制御部２０６は、操作パネル１１０に対する接触操作が、４本の指による接触操作であるか否かを判断する（ステップＳ６０１）。例えば、表示制御部２０６は、図５のステップＳ５０２で４つの接触位置が検出された場合、「４本の指による接触操作である」と判断する。ステップＳ６０１において、「４本の指による接触操作である」と判断された場合（ステップＳ６０１：Ｙｅｓ）、表示制御部２０６は、ステップＳ６０２へ処理を進める。一方、ステップＳ６０１において、「４本の指による接触操作ではない」と判断された場合（ステップＳ６０１：Ｎｏ）、表示制御部２０６は、図６に示す一連の処理を終了する。
【００４９】
ステップＳ６０２では、表示制御部２０６が、図５のステップＳ５０３で検出された押圧力が所定の閾値ｔｈ１（例えば、「１００ｇ」）よりも大きいか否かを判断する。ステップＳ６０２において、「押圧力が所定の閾値ｔｈ１よりも大きい」と判断された場合（ステップＳ６０２：Ｙｅｓ）、表示制御部２０６は、ステップＳ６０３へ処理を進める。一方、ステップＳ６０２において、「押圧力が所定の閾値ｔｈ１以下である」と判断された場合（ステップＳ６０２：Ｎｏ）、表示制御部２０６は、図６に示す一連の処理を終了する。
【００５０】
ステップＳ６０３では、表示制御部２０６が、一のディスプレイに表示されている表示オブジェクトのうち、他のディスプレイへの移動対象とする表示オブジェクトを選択する。ここでは、表示制御部２０６は、一のディスプレイにおいて、ステップＳ６０２で「押圧力が所定の閾値ｔｈ１よりも大きい」と判断されたときに、カーソルが指し示している表示オブジェクトを、他のディスプレイへの移動対象とする表示オブジェクトとして選択する。したがって、ユーザは、予め、一のディスプレイにおいて、移動対象とする表示オブジェクトを指し示すように、カーソルを移動させておく必要がある。
【００５１】
その後、表示制御部２０６が、操作パネル１１０の操作面に対し、４本の指によるスライド操作がなされたか否かを判断する（ステップＳ６０４）。ステップＳ６０４において、「４本の指によるスライド操作がなされた」と判断された場合（ステップＳ６０４：Ｙｅｓ）、表示制御部２０６は、ステップＳ６０５へ処理を進める。一方、ステップＳ６０４において、「４本の指によるスライド操作がなされていない」と判断された場合（ステップＳ６０４：Ｎｏ）、表示制御部２０６は、図６に示す一連の処理を終了する。
【００５２】
ステップＳ６０５では、表示制御部２０６が、４本の指によるスライド操作のスライド方向に他のディスプレイが存在するか否かを判断する。ステップＳ６０５において、「他のディスプレイが存在する」と判断された場合（ステップＳ６０５：Ｙｅｓ）、表示制御部２０６は、ステップＳ６０３で選択された表示オブジェクトを、他のディスプレイに表示し（ステップＳ６０６）、図６に示す一連の処理を終了する。一方、ステップＳ６０５において、「他のディスプレイが存在しない」と判断された場合（ステップＳ６０５：Ｎｏ）、表示制御部２０６は、図６に示す一連の処理を終了する。
【００５３】
なお、図６のフローチャートでは、ステップＳ６０１，Ｓ６０２，Ｓ６０４，Ｓ６０５において、「Ｎｏ」の場合には、一連の処理を終了するようにしているが、その場合の操作に対応する機能がある場合には、その機能を実行してから、一連の処理を終了するようにしてもよい。
【００５４】
また、表示オブジェクトの移動は、４本の指によって、操作パネル１１０の操作面を押圧したままの状態で、スライド操作がなされた場合に有効としてもよく、操作パネル１１０の操作面の押圧を解放した後であっても、スライド操作がなされた場合に有効としてもよい。前者の場合、例えば、表示オブジェクトを移動した後、操作パネル１１０の操作面の押圧が一旦解放されるまで、再びスライド操作がなされたとしても、表示オブジェクトの次の移動を禁止するようにしてもよい。
【００５５】
（操作パネル１１０に対する接触操作の一例）
図７は、第１実施形態に係る操作パネル１１０に対する接触操作の一例を示す図である。図７（ａ）は、操作パネル１１０に対するユーザの４本の指によるスライド操作を例示するものである。図７（ｂ）は、図７（ａ）に示すスライド操作が行われたときの、ユーザの４本の指の接触位置を例示するものである。
【００５６】
例えば、図７（ａ）に示すように、最初に、ユーザの４本の指によって、操作パネル１１０が押圧されたとき、図７（ｂ）に示すように、位置検出部２０２により、４本の指の接触位置として、Ｐ１，Ｐ２，Ｐ３，Ｐ４が、それぞれ検出される。また、このとき、押圧力検出部２０４により、操作パネル１１０に対する押圧力が検出される。ここで、押圧力検出部２０４によって検出された押圧力が、所定の閾値ｔｈ１よりも大きい場合、表示制御部２０６は、一のディスプレイに表示されている表示オブジェクトのうち、カーソルが指し示している表示オブジェクトを、他のディスプレイに表示すべき表示オブジェクトとして選択する。
【００５７】
その後、図７（ａ）に示すように、ユーザの４本の指によって、スライド操作が行われたとき、移動特定部２０５によって、当該スライド操作における４本の指の移動方向および移動量が特定される。例えば、移動特定部２０５は、位置検出部２０２によって検出された、移動操作前の４本の指の接触位置Ｐ１〜Ｐ４と、移動操作後の４本の指の接触位置Ｐ１〜Ｐ４とに基づいて、スライド操作における４本の指の移動方向および移動量を特定する。具体的には、例えば、移動特定部２０５は、スライド操作における始点と終点との間の距離を、４本の指の移動量として特定する。また、例えば、移動特定部２０５は、スライド操作における始点から終点に至るベクトル方向を、４本の指の移動方向として特定する。この場合、例えば、移動特定部２０５は、いずれか１本の指の接触位置、または、４本の指の接触位置の重心位置を、始点および終点として用いてもよい。
【００５８】
ここで、移動特定部２０５によって特定された移動方向に、他のディスプレイが存在する場合、表示制御部２０６は、一のディスプレイにおいて選択された表示オブジェクトを、他のディスプレイに表示させる。このとき、表示制御部２０６は、一のディスプレイにおける選択された表示オブジェクトの表示を解除する。このため、ユーザにとっては、あたかも、選択されたオブジェクトが、一のディスプレイから他のディスプレイに移動したかの如く、視認されることとなる。
【００５９】
なお、本実施形態では、スライド操作におけるスライド距離が、所定距離以上である場合に、表示オブジェクトの移動を有効としているが、これに限らず、例えば、スライド操作が行われている時間（スライド操作が行われた後に、操作パネル１１０の押圧が継続されている時間を含んでもよい）が、所定時間以上である場合に、表示オブジェクトの移動を有効とするようにしてもよい。これにより、例えば、操作パネル１１０の操作面が比較的小さい場合等において、スライド操作のスライド距離が僅かであっても、当該スライド操作により、表示オブジェクトを移動させることが可能となる。
【００６０】
（制御装置２００による表示制御の一例）
図８は、第１実施形態に係る制御装置２００（表示制御部２０６）による表示制御の一例を示す図である。図８に示す表示画面８００は、ノートパソコン１０が備えるディスプレイ１２およびサブディスプレイ１４にまたがって表示される、表示画面の一例である。例えば、この表示画面８００は、複数のアイコンが一覧表示された、いわゆるデスクトップ画面である。
【００６１】
また、図８（ａ）に示す例では、表示画面８００における、ディスプレイ１２に表示されている領域において、表示画面８０１が表示されている。この表示画面８０１は、例えば、ノートパソコン１０において起動されているアプリケーションの表示画面である。
【００６２】
ここで、従来のノートパソコン等では、このように、デュアルモニタを構成して、１つのデスクトップ画面を２つのディスプレイにまたがって表示する場合、一方のディスプレイに表示されている表示オブジェクトを、他方のディスプレイに移動するためには、当該表示オブジェクトを選択した後に、入力装置による移動操作を行わなければならない。特に、入力装置としてタッチパッドを用いた場合には、表示画面８００における、ディスプレイ１２に表示されている領域から、サブディスプレイ１４に表示されている領域までの距離に応じて、タッチパッドの操作面上で、何度も指をスライドさせなければならない。
【００６３】
これに対し、本実施形態のノートパソコン１０は、操作パネル１１０に対する４本の指による１回のスライド操作により、一方のディスプレイに表示されている表示オブジェクトを、他方のディスプレイに移動することが可能である。
【００６４】
例えば、図８（ａ）に示すように、表示画面８００において、表示画面８０１がディスプレイ１２に表示されている場合、図７で説明したように、最初に、ユーザの４本の指によって、操作パネル１１０を押圧することにより、当該表示画面８０１を、移動対象の表示オブジェクトとして選択することができる。続けて、操作パネル１１０の操作面上において、ユーザの４本の指を右方向（サブディスプレイ１４の存在する方向）へ１回だけスライド操作することにより、図８（ｂ）に示すように、表示画面８０１を、サブディスプレイ１４に移動したかの如く、サブディスプレイ１４に表示させることができる。したがって、本実施形態のノートパソコン１０は、操作パネル１１０に対する容易且つ直感的な接触操作により、物理的に異なる複数の表示領域間で、表示オブジェクトを移動させることができる。
【００６５】
〔第２実施形態〕
次に、図面を参照して、第２実施形態について説明する。この第２実施形態では、第１実施形態からの変更点について説明する。なお、第２実施形態において、第１実施形態と同様の構成については、第１実施形態の同様の符号を付し、説明を省略する。
【００６６】
（第２実施形態に係るノートパソコン１０Ｘの装置構成）
図９は、第２実施形態に係るノートパソコン１０Ｘの装置構成を示す図である。図９に示すノートパソコン１０Ｘは、サブディスプレイ１４が接続されていない点、および、制御装置２００の代わりに制御装置２００Ｘを備える点で、第１実施形態のノートパソコン１０と異なる。また、ノートパソコン１０Ｘは、複数の仮想デスクトップを、ディスプレイ１２に表示することが可能である。「複数の仮想デスクトップ」とは、一のディスプレイに表示され得る、複数の仮想的なデスクトップ環境を意味する。制御装置２００Ｘは、入力装置１００の操作面に対し、所定数の操作体による所定の接触操作が行われた場合、ディスプレイ１２に表示された一の仮想デスクトップにおいて選択された表示オブジェクトを、ディスプレイ１２に表示された他の仮想デスクトップに表示させることが可能な装置である。なお、本実施形態では、一例として、ノートパソコン１０Ｘは、図９に示すように、第１の仮想デスクトップ９０１と、第２の仮想デスクトップ９０２とを、ディスプレイ１２に表示することができるものとする。
【００６７】
（制御装置２００Ｘの機能構成）
図１０は、第２実施形態に係る制御装置２００Ｘの機能構成を示すブロック図である。図１０に示すように制御装置２００Ｘは、表示制御部２０６の代わりに表示制御部２０６Ｘを備える点で、第１実施形態の制御装置２００と異なる。
【００６８】
表示制御部２０６Ｘは、操作パネル１１０の操作面に対し、所定数の操作体による所定の接触操作が行われた場合、ディスプレイ１２に表示された一の仮想デスクトップ（第１の仮想デスクトップ９０１または第２の仮想デスクトップ９０２）において選択された表示オブジェクト（例えば、表示画面、アイコン、画像等）を、ディスプレイ１２に表示された他の仮想デスクトップ（第２の仮想デスクトップ９０２または第１の仮想デスクトップ９０１）に表示させる。
【００６９】
表示制御部２０６Ｘは、押圧力検出部２０４によって検出された押圧力が所定の閾値ｔｈ１（第１の所定の閾値）よりも大きいことを含む、所定数の操作体による所定の接触操作が行われた場合、一の仮想デスクトップにおいて選択された表示オブジェクトを、他の仮想デスクトップに表示させることができる。
【００７０】
また、表示制御部２０６Ｘは、押圧力検出部２０４によって検出された押圧力が所定の閾値ｔｈ１よりも大きくなったときに、一の仮想デスクトップにおいて表示オブジェクトを選択し、その後、所定数の操作体による所定の接触操作が行われたときに、一の仮想デスクトップにおいて選択された表示オブジェクトを、他の仮想デスクトップに表示させることができる。
【００７１】
なお、本実施形態では、「所定数の操作体による所定の接触操作」として、操作パネル１１０の操作面上で、４本の指を一回スライドさせるスライド操作（例えば、フリック操作、スワイプ操作等）を用いている。特に、本実施形態では、表示制御部２０６Ｘは、「所定数の操作体による所定の接触操作」として上記スライド操作が行われた場合、当該スライド操作の方向に存在する他の仮想デスクトップに、表示オブジェクトを表示させるようにしている。例えば、図９に示すように、は第１の仮想デスクトップ９０１の右側に、第２の仮想デスクトップ９０２が表示されている場合において、第１の仮想デスクトップ９０１の表示オブジェクトが選択された場合、表示制御部２０６Ｘは、右方向への上記スライド操作が行われたとき、第１の仮想デスクトップ９０１において選択された表示オブジェクトを、第２の仮想デスクトップ９０２に表示させる。反対に、第２の仮想デスクトップ９０２の表示オブジェクトが選択された場合、表示制御部２０６Ｘは、左方向への上記スライド操作が行われたとき、第２の仮想デスクトップ９０２において選択された表示オブジェクトを、第１の仮想デスクトップ９０１に表示させる。なお、第１の仮想デスクトップ９０１と第２の仮想デスクトップ９０２との位置関係は、第１の仮想デスクトップ９０１の表示位置と、第２の仮想デスクトップ９０２の表示位置とに基づいて、特定することが可能である。
【００７２】
（表示制御部２０６Ｘによる表示制御処理の手順）
図１１は、第２実施形態に係る制御装置２００Ｘ（表示制御部２０６Ｘ）による表示制御処理の手順を示すフローチャートである。なお、第２実施形態に係る制御装置２００Ｘによる全体的な処理の手順については、第１実施形態（図５）と同様であるため、説明を省略する。
【００７３】
まず、表示制御部２０６Ｘは、操作パネル１１０に対する接触操作が、４本の指による接触操作であるか否かを判断する（ステップＳ７０１）。ステップＳ７０１において、「４本の指による接触操作である」と判断された場合（ステップＳ７０１：Ｙｅｓ）、表示制御部２０６Ｘは、ステップＳ７０２へ処理を進める。一方、ステップＳ７０１において、「４本の指による接触操作ではない」と判断された場合（ステップＳ７０１：Ｎｏ）、表示制御部２０６Ｘは、図１１に示す一連の処理を終了する。
【００７４】
ステップＳ７０２では、表示制御部２０６Ｘが、押圧力検出部２０４によって検出された押圧力が所定の閾値ｔｈ１（例えば、「１００ｇ」）よりも大きいか否かを判断する。ステップＳ７０２において、「押圧力が所定の閾値ｔｈ１よりも大きい」と判断された場合（ステップＳ７０２：Ｙｅｓ）、表示制御部２０６Ｘは、ステップＳ７０３へ処理を進める。一方、ステップＳ７０２において、「押圧力が所定の閾値ｔｈ１以下である」と判断された場合（ステップＳ７０２：Ｎｏ）、表示制御部２０６Ｘは、図１１に示す一連の処理を終了する。
【００７５】
ステップＳ７０３では、表示制御部２０６Ｘが、一の仮想デスクトップに表示されている表示オブジェクトのうち、他の仮想デスクトップへの移動対象とする表示オブジェクトを選択する。ここでは、表示制御部２０６Ｘは、一の仮想デスクトップにおいて、ステップＳ７０２で「押圧力が所定の閾値ｔｈ１よりも大きい」と判断されたときに、カーソルが指し示している表示オブジェクトを、他の仮想デスクトップへの移動対象とする表示オブジェクトとして選択する。したがって、ユーザは、予め、一の仮想デスクトップにおいて、移動対象とする表示オブジェクトを指し示すように、カーソルを移動させておく必要がある。
【００７６】
その後、表示制御部２０６Ｘが、操作パネル１１０の操作面に対し、４本の指によるスライド操作がなされたか否かを判断する（ステップＳ７０４）。ステップＳ７０４において、「４本の指によるスライド操作がなされた」と判断された場合（ステップＳ７０４：Ｙｅｓ）、表示制御部２０６Ｘは、ステップＳ７０５へ処理を進める。一方、ステップＳ７０４において、「４本の指によるスライド操作がなされていない」と判断された場合（ステップＳ７０４：Ｎｏ）、表示制御部２０６Ｘは、図１１に示す一連の処理を終了する。
【００７７】
ステップＳ７０５では、表示制御部２０６Ｘが、４本の指によるスライド操作のスライド方向に他の仮想デスクトップが存在するか否かを判断する。ステップＳ７０５において、「他の仮想デスクトップが存在する」と判断された場合（ステップＳ７０５：Ｙｅｓ）、表示制御部２０６Ｘは、ステップＳ７０３で選択された表示オブジェクトを、他の仮想デスクトップに表示し（ステップＳ７０６）、図１１に示す一連の処理を終了する。一方、ステップＳ７０５において、「他の仮想デスクトップが存在しない」と判断された場合（ステップＳ７０５：Ｎｏ）、表示制御部２０６Ｘは、図１１に示す一連の処理を終了する。
【００７８】
なお、図１１のフローチャートでは、ステップＳ７０１，Ｓ７０２，Ｓ７０４，Ｓ７０５において、「Ｎｏ」の場合には、一連の処理を終了するようにしているが、その場合の操作に対応する機能がある場合には、その機能を実行してから、一連の処理を終了するようにしてもよい。
【００７９】
（制御装置２００Ｘによる表示制御の一例）
図１２は、第２実施形態に係る制御装置２００Ｘ（表示制御部２０６Ｘ）による表示制御の一例を示す図である。図１２に示す表示画面９００は、ノートパソコン１０Ｘが備えるディスプレイ１２に表示される、表示画面の一例である。図１２示す例では、表示画面９００には、第１の仮想デスクトップ９０１と、第２の仮想デスクトップ９０２とが表示されている。第１の仮想デスクトップ９０１および第２の仮想デスクトップ９０２は、複数のアイコンが一覧表示された、いわゆる仮想デスクトップ環境のデスクトップ画面である。
【００８０】
また、図１２（ａ）に示す例では、表示画面９００における、第１の仮想デスクトップ９０１において、表示画面９０３が表示されている。この表示画面９０３は、例えば、ノートパソコン１０Ｘにおいて起動されているアプリケーションの表示画面である。
【００８１】
ここで、従来のノートパソコン等では、このように、１つのデスクトップ画面に、２つの仮想デスクトップを表示する場合、一方の仮想デスクトップに表示されている表示オブジェクトを、他方の仮想デスクトップに移動するためには、当該表示オブジェクトを選択した後に、入力装置による移動操作を行わなければならない。特に、入力装置としてタッチパッドを用いた場合には、表示画面９００における、一方の仮想デスクトップが表示されている領域から、他方の仮想デスクトップが表示されている領域までの距離に応じて、タッチパッドの操作面上で、何度も指をスライドさせなければならない。
【００８２】
これに対し、本実施形態のノートパソコン１０Ｘは、操作パネル１１０に対する４本の指による１回のスライド操作により、一方の仮想デスクトップに表示されている表示オブジェクトを、他方の仮想デスクトップに移動することが可能である。
【００８３】
例えば、図１２（ａ）に示すように、表示画面９００において、表示画面９０３が第１の仮想デスクトップ９０１に表示されている場合、図７で説明したように、最初に、ユーザの４本の指によって、操作パネル１１０を押圧することにより、当該表示画面９０３を、移動対象の表示オブジェクトとして選択することができる。続けて、操作パネル１１０の操作面上において、ユーザの４本の指を右方向（第２の仮想デスクトップ９０２の存在する方向）へ１回だけスライド操作することにより、図１２（ｂ）に示すように、表示画面９０３を、第２の仮想デスクトップ９０２に移動したかの如く、第２の仮想デスクトップ９０２に表示させることができる。したがって、本実施形態のノートパソコン１０Ｘは、操作パネル１１０に対する容易且つ直感的な接触操作により、仮想的に異なる複数の表示領域間で、表示オブジェクトを移動させることができる。
【００８４】
なお、ノートパソコン１０Ｘ（表示制御部２０６Ｘ）は、必要に応じて、移動先の仮想デスクトップにおいて、表示オブジェクトを表示するのに必要なアプリケーションを起動してから、当該表示オブジェクトを表示させるようにしてもよい。
【００８５】
また、移動先の仮想デスクトップは、移動操作が行われるときに、メイン画面上に表示されてない状態（すなわち、バックグラウンドで起動された状態）であってもよく、移動操作が行われたときに、メイン画面上に表示されるとともに、且つ、移動対象の表示オブジェクトが表示されるようにしてもよい。
【００８６】
以上、本発明の一実施形態について詳述したが、本発明はこれらの実施形態に限定されるものではなく、特許請求の範囲に記載された本発明の要旨の範囲内において、種々の変形又は変更が可能である。
【００８７】
例えば、上記第１実施形態では、情報処理装置に接続された２つのディスプレイ間で表示オブジェクトを移動させる例を説明したが、これに限らず、例えば、情報処理装置に接続された３つ以上のディスプレイ間で表示オブジェクトを移動させるようにしてもよい。
【００８８】
また、例えば、上記第２実施形態では、一のディスプレイに表示された２つの仮想デスクトップ間で表示オブジェクトを移動させる例を説明したが、これに限らず、例えば、一のディスプレイに表示された３つ以上の仮想デスクトップ間で表示オブジェクトを移動させるようにしてもよい。
【００８９】
また、例えば、上記各実施形態では、「所定の複数の操作体」の数を、主に４つとしているが、これに限らず、「所定の複数の操作体」の数を、３つ以下または５つ以上としてもよい。
【００９０】
また、例えば、上記各実施形態では、「押圧力が第１の所定の閾値ｔｈ１よりも大きいこと」を、表示オブジェクトを移動させるための条件に含めているが、当該条件を含めないようにしてもよい。
【００９１】
また、例えば、上記各実施形態では、「スライド方向に他のディスプレイ（または他の仮想デスクトップ）が存在すること」を、表示オブジェクトを移動させるための条件に含めているが、当該条件を含めないようにしてもよい。
【００９２】
また、例えば、上記各実施形態では、「所定数の操作体による１回のスライド操作が行われたこと」を、表示オブジェクトを移動させるための条件に含めているが、当該条件を含めないようにしてもよい。例えば、代わりに、「所定数の操作体による所定回数のスライド操作が行われたこと」、「所定数の操作体による所定回数の押圧操作が行われたこと」等を、表示オブジェクトを移動させるための条件に含めるようにしてもよい。
【００９３】
また、例えば、上記各実施形態では、所定の接触操作が行われた場合、移動元の表示オブジェクトと同じ表示オブジェクトを、移動先に表示するようにしているが、これに限らない。例えば、所定の接触操作が行われた場合、移動元の表示オブジェクトに関連する、他の表示オブジェクトを、移動先に表示するようにしてもよい。例えば、カーナビゲーションシステム等において、一のディスプレイまたは一の仮想デスクトップ上で、ユーザが興味のある施設に関する表示オブジェクト（例えば、アイコン、施設名等）を選択し、所定の接触操作が行われた場合、他のディスプレイまたは他の仮想デスクトップにおいて、その施設に関連する表示オブジェクトの表示（例えば、地図画面上にその施設のアイコンを表示する、その施設の詳細情報を表示する、等）がなされるようにしてもよい。
【符号の説明】
【００９４】
１０，１０Ｘ  ノートパソコン（情報処理装置）
１２  ディスプレイ
１４  サブディスプレイ
１６  接続ケーブル
１００  入力装置
１１０  操作パネル（操作部）
１１１  カバーガラス
１１２  粘着シート
１１３  プリント基板
１１４  静電センサ
１２０  アクチュエータ（触覚提示手段）
１２２  制御回路
１２４  緩衝部材
１３０  フォースセンサ（圧力検出手段）
１３５  ＦＰＣ
１４０  金属フレーム
２００，２００Ｘ  制御装置
２０１  信号取得部
２０２  位置検出部
２０４  押圧力検出部
２０５  移動特定部
２０６，２０６Ｘ  表示制御部
２０７  振動制御部
９０１  第１の仮想デスクトップ
９０２  第２の仮想デスクトップ
【図１】
2019101815.tif 000003
【図２】
2019101815.tif 000004
【図３】
2019101815.tif 000005
【図４】
2019101815.tif 000006
【図５】
2019101815.tif 000007
【図６】
2019101815.tif 000008
【図７】
2019101815.tif 000009
【図８】
2019101815.tif 000010
【図９】
2019101815.tif 000011
【図１０】
2019101815.tif 000012
【図１１】
2019101815.tif 000013
【図１２】
2019101815.tif 000014